(57)【特許請求の範囲】
【請求項１】
第１方向に延び且つ少なくともケーブルのドレイン線との第１接続部を有する複数のグランドコンタクトと、該グランドコンタクトを保持するハウジングと、前記第１方向に直交する第２方向において前記グランドコンタクトを連結する連結部と、該連結部に接続され且つ前記第１方向に延びる第２接続部であって前記第１接続部よりも前記第２方向において幅広な第２接続部とを含むコネクタであって、前記グランドコンタクト、前記連結部及び前記第２接続部は一体形成されており、
前記第２接続部は、前記第１方向において、前記連結部から見て前記グランドコンタクトとは逆側に向かって延びており、
最も近い２本の前記グランドコンタクトの間に配列された一対の信号コンタクトを更に備えている、コネクタ。
【請求項２】
請求項１記載のコネクタにおいて、前記ケーブルを保持するロケータを備えており、
前記ケーブルは、前記信号コンタクトにそれぞれ接続される信号線と、前記グランドコンタクトに接続される前記ドレイン線とを備えるものであり、
前記ロケータには、前記信号線と前記ドレイン線とをそれぞれ整列させ支持するための溝と、前記信号コンタクト及び前記グランドコンタクトをそれぞれ整列させ支持するコンタクト支持部と、隣接する前記コンタクト支持部間に設けられ前記信号コンタクトの間並びに前記グランドコンタクトと前記信号コンタクトとの間を遮る壁部とが設けられている
コネクタ。
【請求項３】
請求項２記載のコネクタにおいて、
前記第１接続部と前記第２接続部は、前記第１方向及び前記第２方向の双方に直交する第３方向において、異なる位置に位置しており、
前記ロケータには、前記第２接続部を支持する第２接続部支持部が形成されており、
前記コンタクト支持部と前記第２接続部支持部とは、前記第３方向において異なる位置に位置している
コネクタ。
【請求項４】
請求項１乃至請求項３のいずれかに記載のコネクタにおいて、
前記連結部は、前記グランドコンタクトの前記第１方向における端部のみを前記第２接続部に連結している、コネクタ。
【請求項５】
請求項１乃至請求項４のいずれかに記載のコネクタにおいて、
第３接続部を有する所定目的用のコンタクトを更に備えており、
前記第２接続部は、所定太さのケーブルを接続するためのものであり、
前記第３接続部は、前記所定太さと同等の太さを有するケーブルを接続するためのものであり、
前記第２接続部と前記第３接続部とは、前記第２方向において、異なる位置に設けられている
コネクタ。
【請求項６】
請求項５記載のコネクタにおいて、
第１コンタクト列と、前記第１方向及び前記第２方向の双方に直交する第３方向において前記第１コンタクト列に対応させるようにして配置された第２コンタクト列を備えており、
前記第１コンタクト列は、前記連結部及び前記第２接続部と一体形成された前記グランドコンタクトを含んでおり、
前記第２コンタクト列は、前記所定目的用のコンタクトを含んでおり、
前記所定目的用のコンタクトは、前記第２方向において、前記第２コンタクト列の端に位置しており、
前記第２接続部は、前記第１コンタクト列に含まれる前記グランドコンタクトであって前記第２方向において前記所定目的用のコンタクトとは反対側に位置する前記グランドコンタクトに対応するようにして、設けられている
コネクタ。
【請求項７】
請求項５又は請求項６記載のコネクタにおいて、
前記第３接続部は、電源供給用のケーブルが接続されるものであり、
前記第２接続部は、電源Ｒｅｔｕｒｎ用のケーブルが接続されるものである
コネクタ。
【発明の詳細な説明】
【技術分野】
【０００１】
本発明は、グランドコンタクトを含むコンタクト列を有するコネクタに関し、例えばＶＥＳＡ（Video Electronics Standards Association）により規定されたＤｉｓｐｌａｙＰｏｒｔ用のケーブル側のコネクタに関する。
【背景技術】
【０００２】
グランドコンタクトを含むコンタクト列を有するコネクタの例としては、例えば特許文献１に開示されたものがある。特許文献１のコネクタにおいては、グランドコンタクトに接続されるグランドプレートを設け、グランドプレートにケーブルを保持するケーブル保持部を形成することとしている。
【０００３】
【特許文献１】特許第３５６４５５６号公報
【発明の開示】
【発明が解決しようとする課題】
【０００４】
ＶＥＳＡ規格のＤｉｓｐｌａｙＰｏｒｔは１０端子からなる列を２列、即ち計２０端子有している。そのうち、幅方向の一端において上下方向に並ぶＮｏ．１９とＮｏ．２０の端子は電源Ｒｅｔｕｒｎ（DP_PWR Return）用の端子と電源供給（DP_PWR）用の端子である。尚、電源Ｒｅｔｕｒｎ用の端子はアースの役割を果たすものであり、電位的にはグランド端子と同じにすることができる。
【０００５】
ＤｉｓｐｌａｙＰｏｒｔに対応するコネクタもＤｉｓｐｌａｙＰｏｒｔの端子に対応したコンタクト（コネクタピン）を有しており、そこには電源Ｒｅｔｕｒｎ用のコンタクトと電源供給用のコンタクトが含まれている。これら電源関連のコンタクトに接続されるケーブルとしては、ケーブル自体の抵抗による電圧降下を小さくするために、比較的太いものが利用される。従って、ＤｉｓｐｌａｙＰｏｒｔ用のコネクタには、かかる太いケーブルを半田付けするための部位を設ける必要がある。
【０００６】
しかしながら、例えば、特許文献１記載のようなコネクタに太いケーブル用の半田付け部を設けようとすると、コネクタのサイズが大きくなりすぎるという問題がある。
【０００７】
そこで、本発明は、太いケーブル用の半田付け部を備えるコネクタであって、できる限り小さいサイズのコネクタを提供することを目的とする。
【課題を解決するための手段】
【０００８】
本発明によれば、第１のコネクタとして、第１方向に延び且つ少なくともケーブルのドレイン線との第１接続部を有する複数のグランドコンタクトと、該グランドコンタクトを保持するハウジングと、前記第１方向に直交する第２方向において前記グランドコンタクトを連結する連結部と、該連結部に接続され且つ前記第１方向に延びる第２接続部であって前記第１接続部よりも前記第２方向において幅広な第２接続部とを含むコネクタであって、前記グランドコンタクト、前記連結部及び前記第２接続部は一体形成されている、コネクタが得られる。
【０００９】
本発明によれば、第２のコネクタとして、第１のコネクタにおいて、前記第２接続部は、前記第１方向において、前記連結部から見て前記グランドコンタクトとは逆側に向かって延びている、コネクタが得られる。
【００１０】
本発明によれば、第３のコネクタとして、第２のコネクタにおいて、最も近い２本の前記グランドコンタクトの間に配列された一対の信号コンタクトを更に備えている、コネクタが得られる。
【００１１】
本発明によれば、第４のコネクタとして、第３のコネクタにおいて、前記ケーブルを保持するロケータを備えており、
前記ケーブルは、前記信号コンタクトにそれぞれ接続される信号線と、前記グランドコンタクトに接続される前記ドレイン線とを備えるものであり、
前記ロケータには、前記信号線と前記ドレイン線とをそれぞれ整列させ支持するための溝と、前記信号コンタクト及び前記グランドコンタクトをそれぞれ整列させ支持するコンタクト支持部と、隣接する前記コンタクト支持部間に設けられ前記信号コンタクトの間並びに前記グランドコンタクトと前記信号コンタクトとの間を遮る壁部とが設けられている
コネクタが得られる。
【００１２】
本発明によれば、第５のコネクタとして、第４のコネクタにおいて、
前記第１接続部と前記第２接続部は、前記第１方向及び前記第２方向の双方に直交する第３方向において、異なる位置に位置しており、
前記ロケータには、前記第２接続部を支持する第２接続部支持部が形成されており、
前記コンタクト支持部と前記第２接続部支持部とは、前記第３方向において異なる位置に位置している
コネクタが得られる。
【００１３】
本発明によれば、第６のコネクタとして、第１乃至第５のコネクタのいずれかにおいて、
前記連結部は、前記グランドコンタクトの前記第１方向における端部のみを前記第２接続部に連結している、コネクタが得られる。
【００１４】
本発明によれば、第７のコネクタとして、第１乃至第６のコネクタのいずれかにおいて、
第３接続部を有する所定目的用のコンタクトを更に備えており、
前記第２接続部は、所定太さのケーブルを接続するためのものであり、
前記第３接続部は、前記所定太さと同等の太さを有するケーブルを接続するためのものであり、
前記第２接続部と前記第３接続部とは、前記第２方向において、異なる位置に設けられている
コネクタが得られる。
【００１５】
本発明によれば、第８のコネクタとして、第７のコネクタにおいて、
第１コンタクト列と、前記第１方向及び前記第２方向の双方に直交する第３方向において前記第１コンタクト列に対応させるようにして配置された第２コンタクト列を備えており、
前記第１コンタクト列は、前記連結部及び前記第２接続部と一体形成された前記グランドコンタクトを含んでおり、
前記第２コンタクト列は、前記所定目的用のコンタクトを含んでおり、
前記所定目的用のコンタクトは、前記第２方向において、前記第２コンタクト列の端に位置しており、
前記第２接続部は、前記第１コンタクト列に含まれる前記グランドコンタクトであって前記第２方向において前記所定目的用のコンタクトとは反対側に位置する前記グランドコンタクトに対応するようにして、設けられている
コネクタが得られる。
【００１６】
本発明によれば、第９のコネクタとして、第７又は第８のコネクタにおいて、
前記第３接続部は、電源供給用のケーブルが接続されるものであり、
前記第２接続部は、電源Ｒｅｔｕｒｎ用のケーブルが接続されるものである
コネクタが得られる。
【発明の効果】
【００１７】
本発明によれば、特許文献１のグランドプレートのような大きな部材ではなく連結部によってグランドコンタクトを連結し、またその連結部から延びるような第２接続部を設けたことから、第２接続部の位置を柔軟に選択できるため、大型化を避けることができる。また、グランドコンタクト、連結部及び第２接続部を一体形成していることから、それらの組立コストを低減することができる。
【発明を実施するための最良の形態】
【００１８】
図１及び図３に示されるように、本発明の実施の形態によるコネクタ１００は、ディファレンシャル伝送用ケーブル（ケーブル）２１０、電源Ｒｅｔｕｒｎ用ケーブル２２０、電源供給用ケーブル２３０及びシングルエンデッド伝送用ケーブル２４０をＤｉｓｐｌａｙＰｏｒｔに接続するためのものであり、ＤｉｓｐｌａｙＰｏｒｔの２０端子に対応する２０本のコンタクトを備えている。
【００１９】
詳しくは、図１に示されるように、コネクタ１００は、それぞれ１０本のコンタクトからなる第１コンタクト列１１０と第２コンタクト列１２０の２列のコンタクト列と、第１コンタクト列１１０及び第２コンタクト列１２０を保持するハウジング１３０と、ハウジング１３０に取り付けられたロケータ１４０（図３参照）と、ハウジング１３０及びロケータ１４０を覆うシェル１５０と、コネクタ１００の後端部においてディファレンシャル伝送用ケーブル２１０等とコンタクトとの結線部分を保護するためのフード１６０とを備えている。
【００２０】
第１コンタクト列１１０は、図１及び図９に示されるように、３本のグランドコンタクト１１２、３対の高速信号コンタクト１１４、並びに１本の電源Ｒｅｔｕｒｎ用コンタクト１１６を備えており、一方、第２コンタクト列１２０は、図１及び図１０に示されるように、２本のグランドコンタクト１２２、１対の高速信号コンタクト１２４、１本の電源供給用コンタクト（所定目的用のコンタクト）１２６、並びに５本の低速信号コンタクト１２８を備えている。第１コンタクト列１１０と第２コンタクト列１２０とは、図２に示されるように、Ｚ方向（第３方向）において互いに対応させるようにして配置されている。なお、図２において、Ｇはグランドコンタクト１１２，１２２を示し、Ｓは高速信号コンタクト１１４，１２４を示し、Ｒは電源Ｒｅｔｕｒｎ用コンタクト１１６を示し、Ｐは電源供給用コンタクト１２６を示し、Ｄは低速信号コンタクト１２８を示す。図示された電源Ｒｅｔｕｒｎ用コンタクト１１６は、ＤｉｓｐｌａｙＰｏｒｔのＮｏ．１９の端子（DP_PWR Return）に対応するものであり、電位的にはグランドコンタクト１１２と同じであり、後述するように、高速信号伝送路のシールドに関してもグランドコンタクトとして機能する。このため、本明細書においては、電源Ｒｅｔｕｒｎ用コンタクト１１６をグランドコンタクトとして扱う場合もある。また、図示された電源供給用コンタクト１２６は、ＤｉｓｐｌａｙＰｏｒｔのＮｏ．２０の端子（DP_PWR）に対応するものである。
【００２１】
図９に示されるように、グランドコンタクト１１２は、ＤｉｓｐｌａｙＰｏｒｔのグランド端子に接触する接触部１１２ａと、ハウジング１３０に保持される被保持部１１２ｂと、半田付部１１２ｃとを備えている。図３、図５、図７、図９及び図１１から理解されるように、半田付部１１２ｃには、ディファレンシャル伝送用ケーブル２１０のドレイン線２１４が半田付けされる。同様に、高速信号コンタクト１１４は、ＤｉｓｐｌａｙＰｏｒｔの高速信号端子に接触する接触部１１４ａと、ハウジング１３０に保持される被保持部１１４ｂと、半田付部１１４ｃとを備えている。図３、図５、図７、図９及び図１１から理解されるように、半田付部１１４ｃには、ディファレンシャル伝送用ケーブル２１０の高速信号線２１２が半田付けされる。また、電源Ｒｅｔｕｒｎ用コンタクト１１６は、ＤｉｓｐｌａｙＰｏｒｔの電源Ｒｅｔｕｒｎ用端子（DP_PWR Return）に接触する接触部１１６ａと、ハウジング１３０に保持される被保持部１１６ｂと、半田付部１１２ｃに対応する部位１１６ｃとから構成される。図９に示されるように、グランドコンタクト１１２、高速信号コンタクト１１４及び電源Ｒｅｔｕｒｎ用コンタクト１１６は、Ｙ方向（第１方向）に延びており、グランドコンタクト１１２の端部と電源Ｒｅｔｕｒｎ用コンタクト１１６の端部とは、Ｘ方向（第２方向）に延びる連結部１１６ｄによって接続されている。更に、図９に示されるように、連結部１１６ｄには半田付部（第２接続部）１１６ｅが接続されている。図３、図５、図７、図９及び図１１から理解されるように、半田付部１１６ｅには、電源Ｒｅｔｕｒｎ用ケーブル２２０の電源Ｒｅｔｕｒｎ線２２２が半田付けされる。本実施の形態における連結部１１６ｄは、グランドコンタクト１１２のＹ方向における端部のみを第２接続部１１６ｅに連結していることから、少ない材料で構成することができ、コストアップを防ぐことができる。但し、本発明はこれに限定されるものではなく、連結部１１６ｄの位置を他の位置にすることとしてもよい。
【００２２】
ここで、電源Ｒｅｔｕｒｎ用ケーブル２２０の電源Ｒｅｔｕｒｎ線２２２は、低抵抗にするため、高速信号線２１２などと比較して太いものであり、従って、半田付部１１６ｅも、Ｘ方向において、グランドコンタクト１１２の半田付部１１２ｃよりも幅広なものとなっている。この半田付部１１６ｅは、図９から理解されるように、連結部１１６ｄから見てグランドコンタクト１１２とは逆側に向かって延びており、Ｘ方向において電源Ｒｅｔｕｒｎ用コンタクト１１６とは反対側に位置するグランドコンタクト１１２の端部近傍に位置している。それにより、電源Ｒｅｔｕｒｎ用コンタクト１１６と連結部１１６ｄと半田付部１１６ｅは、Ｚ方向から見た場合に、クランク形状を呈するように配置されている。なお、図９から理解されるように、本実施の形態による電源Ｒｅｔｕｒｎ用コンタクト１１６、グランドコンタクト１１２、連結部１１６ｄ及び半田付部１１６ｅは、一体形成されている。また、図１、図２及び図９から明らかなように、本実施の形態による高速信号用コンタクト１１４のすべての対は、グランドコンタクト１１２及び電源Ｒｅｔｕｒｎ用コンタクト（グランドコンタクト）１１６に挟まれており、電気的にシールドされている。
【００２３】
図１０に示されるように、グランドコンタクト１２２は、ＤｉｓｐｌａｙＰｏｒｔのグランド端子に接触する接触部１２２ａと、ハウジング１３０に保持される被保持部１２２ｂと、半田付部１２２ｃとを備えている。図４、図６、図８及び図１０から理解されるように、半田付部１２２ｃには、ディファレンシャル伝送用ケーブル２１０のドレイン線２１４が半田付けされる。同様に、高速信号コンタクト１２４は、ＤｉｓｐｌａｙＰｏｒｔの高速信号端子に接触する接触部１２４ａと、ハウジング１３０に保持される被保持部１２４ｂと、半田付部１２４ｃとを備えている。図４、図６、図８及び図１０から理解されるように、半田付部１２４ｃには、ディファレンシャル伝送用ケーブル２１０の高速信号線２１２が半田付けされる。また、電源供給用コンタクト１２６は、ＤｉｓｐｌａｙＰｏｒｔの電源供給用端子（DP_PWR）に接触する接触部１２６ａと、ハウジング１３０に保持される被保持部１２６ｂと、半田付部１２２ｃに対応する部位１２６ｃとを備えている。更に、低速信号コンタクト１２８は、ＤｉｓｐｌａｙＰｏｒｔの低速信号端子に接触する接触部１２８ａと、ハウジング１３０に保持される被保持部１２８ｂと、半田付部１２８ｃとを備えている。図４、図６、図８及び図１０から理解されるように、半田付部１２８ｃには、シングルエンデッド伝送用ケーブル２４０の信号線２４２が半田付けされる。なお、本実施の形態においては、図２及び図４から理解されるように、ＤｉｓｐｌａｙＰｏｒｔのＮｏ．１６及びＮｏ．１８の端子に対応する低速信号コンタクト１２８には、ディファレンシャル伝送用ケーブル２１０の高速信号線２１２を利用して低速信号が供給されている。図１０に示されるように、グランドコンタクト１２２、高速信号コンタクト１２４、電源供給用コンタクト１２６及び低速信号コンタクト１２８は、Ｙ方向に延びており、グランドコンタクト１２２の端部は、Ｘ方向に延びる連結部１２２ｄによって接続されている。更に、電源供給用コンタクト１２６には半田付部（第３接続部）１２６ｄが接続されている。図４、図６、図８及び図１０から理解されるように、半田付部１２６ｄには、電源供給用ケーブル２３０の電源供給線２３２が半田付けされる。
【００２４】
ここで、電源供給用ケーブル２３０の電源供給線２３２は、電源Ｒｅｔｕｒｎ用ケーブル２２０の電源Ｒｅｔｕｒｎ線２２２と同等の太さを有するものであり、高速信号線２１２などと比較して太い。そのため、半田付部１２６ｄも、半田付部１１２ｃなどと比較して幅広に形成されており、特に本実施の形態においては半田付部１１６ｅと同程度の幅を有するように形成されている。なお、図１、図２及び図１０から明らかなように、本実施の形態による高速信号用コンタクト１２４は、グランドコンタクト１２２に挟まれており、電気的にシールドされている。
【００２５】
本実施の形態におけるハウジング１３０は、絶縁性樹脂からなるものであり、図５乃至図８示されるように、ハウジング１３０の後端を構成するブロック１３２と、ブロック１３２からＹ方向に突出した上顎部１３４及び下顎部１３６を備えている。上顎部１３４と下顎部１３６とで挟まれた部分は、前方に開いた開口部となっており、ＤｉｓｐｌａｙＰｏｒｔの嵌合部を受け入れることができるようになっている。ブロック１３２には、ブロック１３２をＹ方向に貫通した保持孔１３２ａ及び１３２ｂが形成されている。このうち、保持孔１３２ａは、第１コンタクト列１１０の各種コンタクトを保持するためのものであり、保持孔１３２ｂは、第２コンタクト列１２０の各種コンタクトを保持するためのものである。上顎部１３４の下顎部１３６と対向する面には、保持孔１３２ａと連続するように形成された保持溝が形成されており、同様に、下顎部１３６の上顎部１３４と対向する面には、保持孔１３２ｂと連続するように形成された保持溝が形成されている。
【００２６】
図７に示されるように、ハウジング１３０の後方から保持孔１３２ａに対して第１コンタクト列１１０を挿入し、グランドコンタクト１１２の被保持部１１２ｂ、高速信号コンタクト１１４の被保持部１１４ｂ及び電源Ｒｅｔｕｒｎ用コンタクト１１６の被保持部１１６ｂを保持孔１３２ａ及び上顎部１３４の保持溝に圧入すると、接触部１１２ａ，１１４ａ，１１６ａを開口部１３０ａ内に突出させた状態で、グランドコンタクト１１２、高速信号コンタクト１１４及び電源Ｒｅｔｕｒｎ用コンタクト１１６をハウジング１３０に保持させることができる。同様に、図８に示されるように、ハウジング１３０の後方から保持孔１３２ｂに対して第２コンタクト列１２０を挿入し、グランドコンタクト１２２の被保持部１２２ｂ、高速信号コンタクト１２４の被保持部１２４ｂ、電源供給用コンタクト１２６の被保持部１２６ｂ及び低速信号コンタクト１２８の被保持部１２８ｂを保持孔１３２ｂ及び下顎部１３６の保持溝に圧入すると、接触部１２２ａ，１２４ａ，１２６ａ，１２８ａを開口部１３０ａ内に突出させた状態で、グランドコンタクト１２２、高速信号コンタクト１２４、電源供給用コンタクト１２６及び低速信号コンタクト１２８をハウジング１３０に保持させることができる。
【００２７】
本実施の形態におけるロケータ１４０は、絶縁性の樹脂からなるものであり、図５、図６及び図１１に示されるように、各種コンタクトをハウジング１３０に圧入した後にハウジング１３０の後端に取り付けられるものである。図示されたロケータ１４０は、半田付部１１２ｃ，１１４ｃ，１２２ｃ，１２４ｃ，１２８ｃや部位１１６ｃ，１２６ｃを整列させ支持するためのコンタクト支持部１４２と、高速信号線２１２やドレイン線２１４などを整列させ支持するための溝１４４を備えている。コンタクト支持部１４２間には、結線時の半田の流れ込みによるショートを防止するための壁部１４６が形成されている。また、溝１４４は、対応する信号線などが嵌るような形状となっている。コンタクト支持部１４２にてコンタクトを整列支持させることとしたため、コンタクトの変形による隣接コンタクトとのショートが防止され、また、樹脂製の溝１４４によりケーブルを整列支持させることとしたため、ケーブルの整列支持の際にケーブル外皮が損傷してショートが生じることを防ぐことができる。
【００２８】
ロケータ１４０には、更に、半田付部１１６ｅ及び半田付部１２６ｄを支持するための半田付部支持部１４８ａ及び半田付部支持部１４８ｂが形成されている。図５及び図６に示されるように、半田付部支持部１４８ａ及び半田付部支持部１４８ｂは、Ｚ方向において、第１コンタクト列１１０のコンタクトを支持するためのコンタクト支持部１４２や第２コンタクト列１２０のコンタクトを支持するためのコンタクト支持部１４２と異なる位置に形成されている。これにより、コネクタ１００をＸ方向に大きくすることなく、電源Ｒｅｔｕｒｎ用ケーブル２２０や電源供給用ケーブル２３０と他のケーブル等とのショートを避けることができる。
【００２９】
また、半田付部支持部１４８ａ及び半田付部支持部１４８ｂは、Ｘ方向において、互いに異なる位置に形成されている。これは、前述したように、電源Ｒｅｔｕｒｎ用コンタクト１１６と電源Ｒｅｔｕｒｎ線２２２用の半田付部１１６ｅとを一直線上に位置させるのではなく、連結部１１６ｄにて接続したことにより、Ｚ方向から見た場合に、電源Ｒｅｔｕｒｎ用コンタクト１１６、連結部１１６ｄ及び電源Ｒｅｔｕｒｎ線２２２用の半田付部１１６ｅをクランク形状を呈するように配置したためである。本実施の形態のように半田付部支持部１４８ａ及び半田付部支持部１４８ｂを配置することとすると、図２に示されるように、電源Ｒｅｔｕｒｎ用端子（DP_PWR Return）と電源供給用端子（DP_PWR）とがＸ方向において同位置に位置している（即ち、Ｚ方向に並んでいる）ようなピンアサインの場合であっても、図３及び図４に示されるように、比較的太いケーブルである電源Ｒｅｔｕｒｎ用ケーブル２２０と電源供給用ケーブル２３０とをＸ方向において異なる位置にあるように配置することができる。これにより、電源Ｒｅｔｕｒｎ用ケーブル２２０と電源供給用ケーブル２３０とをＺ方向に並ぶように配置した場合にはＺ方向の大きさが大きくなり、これと比較して、コネクタ１００のＺ方向のサイズを小さくすることができる。
【図面の簡単な説明】
【００３０】
【図１】本発明の実施の形態によるコネクタを示す正面図である。
【図２】図１に示されるコネクタを正面から見た場合におけるコンタクトの配置を示す図である。
【図３】図１のコネクタを示す斜め上方から見た斜視図である。但し、フード及びシェルは省略されている。
【図４】図３のコネクタを示す斜め下方から見た斜視図である。
【図５】図３のコネクタの結線前の状態を示す斜め上方から見た斜視図である。
【図６】図４のコネクタの結線前の状態を示す斜め下方から見た斜視図である。
【図７】図５のコネクタからロケータを除いた構造を示す斜め上方から見た斜視図である。
【図８】図６のコネクタからロケータを除いた構造を示す斜め下方から見た斜視図である。
【図９】第１コンタクト列を示す斜め上方から見た斜視図である。
【図１０】第２コンタクト列を示す斜め下方から見た斜視図である。
【図１１】ケーブルとコンタクトとの結線状態を示す拡大斜視図である。
【符号の説明】
【００３１】
１００        コネクタ
１１０        第１コンタクト列
１１２        グランドコンタクト
１１２ａ      接触部
１１２ｂ      被保持部
１１２ｃ      半田付部（第１接続部）
１１４        高速信号コンタクト
１１４ａ      接触部
１１４ｂ      被保持部
１１４ｃ      半田付部
１１６        電源Ｒｅｔｕｒｎ用コンタクト（グランドコンタクト）
１１６ａ      接触部
１１６ｂ      被保持部
１１６ｃ      部位
１１６ｄ      連結部
１１６ｅ      半田付部（第２接続部）
１２０        第２コンタクト列
１２２        グランドコンタクト
１２２ａ      接触部
１２２ｂ      被保持部
１２２ｃ      半田付部
１２２ｄ      連結部
１２４        高速信号コンタクト
１２４ａ      接触部
１２４ｂ      被保持部
１２４ｃ      半田付部
１２６        電源供給用コンタクト（所定目的用のコンタクト）
１２６ａ      接触部
１２６ｂ      被保持部
１２６ｃ      部位
１２６ｄ      半田付部（第３接続部）
１２８        低速信号コンタクト
１２８ａ      接触部
１２８ｂ      被保持部
１２８ｃ      半田付部
１３０        ハウジング
１３０ａ      開口部
１３２        ブロック
１３２ａ      保持孔
１３２ｂ      保持孔
１３４        上顎部
１３６        下顎部
１４０        ロケータ
１４２        コンタクト支持部
１４４        溝
１４６        壁部
１４８ａ      半田付部支持部（第２接続部支持部）
１４８ｂ      半田付部支持部
１５０        シェル
１６０        フード
２１０        ディファレンシャル伝送用ケーブル（ケーブル）
２１２        高速信号線
２１４        ドレイン線
２２０        電源Ｒｅｔｕｒｎ用ケーブル
２２２        電源Ｒｅｔｕｒｎ線
２３０        電源供給用ケーブル
２３２        電源供給線
２４０        シングルエンデッド伝送用ケーブル
２４２        信号線
【図１】
0004519182.tif 000002
【図２】
0004519182.tif 000003
【図３】
0004519182.tif 000004
【図４】
0004519182.tif 000005
【図５】
0004519182.tif 000006
【図６】
0004519182.tif 000007
【図７】
0004519182.tif 000008
【図８】
0004519182.tif 000009
【図９】
0004519182.tif 000010
【図１０】
0004519182.tif 000011
【図１１】
0004519182.tif 000012